(57)【特許請求の範囲】
【請求項１】
画像送信部から伝送路を介し伝送される圧縮動画像を画像受信部で受信、復号して監視する遠隔画像監視システムにおいて、上記画像受信部から高精細画像の伝送要求があった場合、上記画像送信部で、上記圧縮動画像データの伝送レートを上記伝送路の伝送容量の所定割合の伝送レートに下げ、これにより空いた上記伝送路の残りの割合の伝送レートにより所定の高精細画像データを伝送するようにしたことを特徴とする画像伝送方法。
【請求項２】
画像送信部から伝送路を介し伝送される圧縮動画像を画像受信部で受信、復号して監視する遠隔画像監視システムにおいて、上記画像送信部に、上記画像受信部からの高精細画像伝送要求信号により、上記圧縮動画像データの伝送レートを上記伝送路の伝送容量の所定割合の伝送レートに下げて生成、出力する手段と、上記伝送路の残りの割合の伝送レートとした所定の高精細画像データを生成、出力する手段と、上記画像受信部からの高精細画像伝送要求信号により当該２つのデータ出力を所定の比率で切り替え上記伝送路へ出力する手段を有することを特徴とする遠隔画像監視システム。
【請求項３】
請求項２に記載の遠隔画像監視システムにおいて、上記画像受信部に、上記画像送信部へ高精細画像伝送要求信号を出力する手段と、当該高精細画像伝送要求信号に基づき上記画像送信部から伝送される上記２つのデータ出力を受信し、上記圧縮動画像データと上記所定の高精細画像データを切り替え出力する手段を有することを特徴とする遠隔画像監視システム。
【請求項４】
請求項２に記載の遠隔画像監視システムにおいて、上記画像送信部を、入力映像信号をバッファして出力するビデオ入力メモリ部と、上記高精細画像をバッファするための高精細画像メモリ部と、上記ビデオ入力メモリ部から所定の画像データを上記高精細画像メモリ部へ転送するビデオデータ転送部と、上記高精細画像伝送要求信号に基づき圧縮率を変えて上記ビデオ入力メモリ部からの出力を符号化する圧縮動画像符号化部と、該圧縮動画像符号化部の出力と上記高精細画像メモリ部の出力を所定の比率で切り替える出力制御部と、当該切り替えられたデータと上記出力制御部のデータを入力し、上記伝送路へ出力する伝送インターフェース部を有する構成としたことを特徴とする遠隔画像監視システム。
【発明の詳細な説明】
【０００１】
【発明の属する技術分野】
本発明は、画像を圧縮して伝送する装置に関するものである。
【０００２】
【従来の技術】
遠隔画像監視システムでは、インターネットに代表されるように、伝送路のデジタル化が現在急速に進んでいることから、画像をデジタル化して伝送する装置のニーズが拡大している。
一方画像をデジタル化した場合、その情報量は膨大な情報量となるため、必ず動画像の圧縮技術が必要になる。ここで、必要となる動画像の圧縮方式は、そのほとんどがＭＰＥＧ−２，ＭＰＥＧ−４などの世界標準方式であり、多少の圧縮劣化が発生するが、その圧縮率は、約１／１００〜１／１０００程度の高効率な圧縮方式である。
一般的な遠隔画像監視システムでは、受信側映像モニタで遠隔地の状況を監視する。ここで、前述したように、ＭＰＥＧ−２，ＭＰＥＧ−４による圧縮劣化が受信した画像に発生するが、遠隔地の状況を把握するには、通常問題の無いレベルの劣化である。
つまり、この圧縮劣化は、圧縮率とのトレードオフの関係にあるため、最適な遠隔画像監視システムでは、極力高い圧縮率で、かつ遠隔地の状況把握に支障の無い限界の劣化となる圧縮率となっている。これは、限られた伝送容量の伝送路を使用して、より多くの遠隔地の監視をするための必然的なバランスにより成り立っている。
【０００３】
一方、遠隔画像監視システムでは、特定の状況変化が発生すると、その時点でより高精細な画像が必要となる。一例として、コンビニエンス・ストアの各店舗における監視では、通常は店内の状況把握をしているが、強盗犯人の進入などの特定の変化が発生すると、その犯人像を明確にするためには、より高精細な画像が求められる。この画像は、前述のバランスにより得られる圧縮率の画像では、圧縮劣化が問題となり不十分である。その具体例として、最近のニュース等で、事件の犯人逮捕のために監視画像を公開するケースがあるが、その劣化した画像から犯人の人相などを明確にすることは不可能であることがわかる。
また、イベント会場、商店街、観光地などの監視や宣伝用動画像配信などで、受信側から遠隔地にあるカメラアングルを制御して、特定の場所の画像を高精細な画像で、詳細に見たいなどのニーズもあるが、この場合も状況把握程度の画質では不十分である。
このように、遠隔画像監視システム(前述の宣伝用動画像配信システムも含む)では、圧縮動画像と、特定の状況変化における高精細画像の両方を受信側で表示または、記録する要求がある。特に記録された高精細画像は、別途画像処理をして、より多くの情報を得るのに使用される。犯人捜査の例では、記録された画像内の注目領域を拡大して詳細部分を調査したり、コントラストを上げて暗部の様子を明瞭にしたりして、犯人を特定するに必要な情報を得るために使用されることが多い。なお、一般にＭＰＥＧ−２，ＭＰＥＧ−４等の圧縮符号化方式で圧縮された画像は、それ自身に圧縮劣化が存在しており、前述のように拡大やコントラスト処理をすると、その圧縮劣化が目立つため使用することは、困難であることが常識である。
従って、ここでの高精細画像とは、圧縮劣化の無い非圧縮の画像か、それに準ずる程度の圧縮劣化しか発生し得ない、非常に低い圧縮率の画像を指す。また、上記圧縮動画像は、圧縮劣化がある程度許容可能な画像であり、ＭＰＥＧ−２，ＭＰＥＧ−４などによる画像であり、ここでは以後、圧縮動画像と呼ぶ。
【０００４】
ここで、圧縮動画像と高精細画像を表示／記録する遠隔画像監視システムの従来の技術による構成を図２に示す。図２では、画像送信部Ｔｘはカメラ２−１、ビデオ入力メモリ部２−４、圧縮動画像符号化部２−６、伝送インターフェース部２−１０から構成される。
画像受信部Ｒｘは、伝送インターフェース部２−１３、圧縮動画像復号化部２−１７、ビデオ表示メモリ部２−１９、映像モニタ２−２１、高精細画像伝送開始指示器２−２３、記録部２−２４から構成される。図２の構成では、画像送信部Ｔｘと画像受信部Ｒｘは、双方向の伝送路で接続されている。
図２の構成で、通常の圧縮動画像伝送では、カメラ２−１からの映像信号２−２が、信号２−３として出力されるよう切り替え部２−５０が制御されており、ビデオ入力メモリ部２−４に入力される。ビデオ入力メモリ部２−４は、信号２−３をバッファし、データ２−５として動画像圧縮符号化部２−６に出力する。動画像圧縮符号化部２−６は、データ２−５を圧縮符号化し、圧縮動画像データ２−７を出力する。この時データ２−８には、圧縮動画像データ２−７が接続されるように、切り替え部２−５１は制御されている。伝送インターフェース部２−１０は、データ２−８を伝送路のデータ２−１１として出力する。
【０００５】
受信部Ｒｘでは、伝送インターフェース部２−１３で伝送路のデータ２−１１をデータ２−１４として取り込む。
このデータ２−１４は、前記圧縮動画像データ２−７と同様のデータである。このデータ２−１４は、圧縮動画像データ２−１６として出力されるように切り替え部２−５２は制御されている。圧縮動画像データ２−１６は、圧縮動画像復号化部２−１７と記録部２−２４へ入力される。
圧縮動画像復号化部２−１７は、圧縮動画像データ２−１６を復号化し、データ２−２５として出力する。また、データ２−２５はデータ２−１８として出力されるように、切り替え部２−５３は制御されている。データ２−１８は、基本的に前記データ２−５に相当する画像データであるが、データ２−１８には圧縮劣化が発生している。ビデオ表示メモリ部２−１９は、データ２−１８をバッファして、映像信号２−２０とし、映像表示モニタ２−２１に表示する。  一方、記録部２−２４は、圧縮動画像データ２−１６を所定のエリアヘ記録し続ける。
以上が、圧縮動画像伝送中の動作であり、ここで表示されている映像モニタ２−２１の画質は、前述したように、状況把握可能な程度の画質である。ここで、映像モニタ２−２１を見ている監視員が、表示されている映像の高精細な画像が必要と判断した時、高精細画像伝送開始指示器２−２３を操作する。
【０００６】
以下、高精細画像を伝送する動作について説明する。高精細画像伝送開始指示器２−２３からは、高精細画像伝送開始指示を表すデータ２−２２が出力され、伝送インターフェース部２−１３に入力され、伝送路の信号２−１２として出力され、画像送信部Ｔｘの伝送インターフェース部２−１０へ入力される。
伝送路インターフェース部２−１０は、信号２−１２をデータ２−９として出力する。データ２−９は、切り替え部２−５０を制御し、データ２−３に映像信号２−２が入力されないようにする。また、データ２−９は、切り替え部２−５１を制御し、データ２−８にデータ２−５が接続されるようにする。
これにより、伝送インターフェース部２−１０には、非圧縮のデータ（圧縮符号化されないデータ）が入力されることになる。このデータは伝送路の信号２−１１により画像受信部へ伝送される。
画像受信部Ｒｘでは、伝送インターフェース部２−１３が、伝送路の信号２−１１をデータ２−１４として出力する。このデータは、前記データ２−５と同様の、圧縮劣化の全く無い画像データである。
前記高精細画像伝送開始指示を表すデータ２−２２により、切り替え部２−５２は、データ２−１４がデータ２−１５に接続されるように制御され、切り替え部２−５３はデータ２−１８にデータ２−１５が接続されるように制御される。これにより、ビデオ表示メモリ部２−１９には非圧縮の画像データが入力されることになり、映像モニタ２−２１には圧縮劣化の全く無い高精細な画像が表示される。また、前記データ２−１５は、記録部２−２４へ入力され、高精細画像として記録され、必要な時点で利用される。
以上が従来の技術による、圧縮動画像から任意の高精細画像を伝送する動作である。
【０００７】
ここで、図２では高精細画像の例として非圧縮画像データとして説明したが、非圧縮であることから、そのデータ量は膨大なデータ量となる。このため、一般には圧縮動画像を伝送しているのと同一の伝送路(伝送容量)を使用することから、この１フレームの高精細画像を伝送するには、リアルタイムのフレーム時間のより長い時間が必ず必要となる。
従って、高精細画像は、動画像の伝送が困難であり静止画像となる。しかし、前述したように、この高精細画像を必要とする場合は、ある特定のシーンとなるため、動画像である必要性は無いので、問題無い。
逆に問題となるのは、この高精細画像を伝送中に、本来の圧縮動画像の伝送が完全に中断されることである。つまり、図２の記録部２−２４に記録される圧縮動画像データには、前記中断による不連続な状態の圧縮動画像データしか記録できないことになる。無論、映像モニタ２−２１でも、高精細画像伝送中には何も見ることが出来ない。
【０００８】
この従来技術による問題を、さらに具体的に図３で説明する。図３は、高精細画像伝送開始指示器２−２３で操作した時の、伝送路の信号２−１１の状態を示している。このように、高精細画像データ伝送中には、完全に圧縮動画像データが中断してしまい、記録部２−２４に記録されないことになる。前述した様に、高精細画像データを要求する時は、監視対象に注目すべきこと（強盗犯人進入など）が発生したためであり、この時点の動画像が中断されることは、実際の運用上も深刻な問題である。
図３には、圧縮符号化方式としてＭＰＥＧ−２，ＭＰＥＧ−４を使用したシステムに対する前記中断時間(１フレームの高精細画像伝送時間)も示した。基本的に、この時間は、１フレームの高精細画像データの量を伝送路容量で割り算して算出している。ただし、高精細画像データの量と伝送路容量は、ＭＰＥＧ−２，ＭＰＥＧ−４のそれぞれにおける代表的な値としている。
ＭＰＥＧ−２：伝送容量４Ｍｂｐｓ：中断時間１．４秒
ＭＰＥＧ−４：伝送容量３８４ｋｂｐｓ：中断時間４．２秒
【０００９】
【発明が解決しようとする課題】
従来の技術では、遠隔画像監視システムにおいて、高精細画像データ伝送中は圧縮動画像データの伝送が中断されるため、画像監視が不可能になり、さらに、不連続な圧縮動画像データしか記録ができないという欠点がある。
本発明は、上記問題に鑑み、画像送信部において高精細画像用のビデオキャプチャメモリ部を設け、かつ圧縮動画像符号化部の圧縮率を、高精細画像データの伝送レートに適応した制御とすることで、高精細画像データと圧縮動画像データを同時に伝送可能し、上記欠点を解決する遠隔画像監視システムを提供することを目的とするものである。
【００１０】
【課題を解決するための手段】
本発明は上記の目的を達成するため、画像送信部から伝送路を介し伝送される圧縮動画像を画像受信部で受信、復号して監視する遠隔画像監視システムにおいて、上記画像受信部から高精細画像の伝送要求があった場合、上記画像送信部で、上記圧縮動画像データの伝送レートを上記伝送路の伝送容量の所定割合の伝送レートに下げ、これにより空いた上記伝送路の残りの割合の伝送レートにより所定の高精細画像データを伝送するようにしたものである。
また、画像送信部から伝送路を介し伝送される圧縮動画像を画像受信部で受信、復号して監視する遠隔画像監視システムにおいて、上記画像送信部に、上記画像受信部からの高精細画像伝送要求信号により、上記圧縮動画像データの伝送レートを上記伝送路の伝送容量の所定割合の伝送レートに下げて生成、出力する手段と、上記伝送路の残りの割合の伝送レートとした所定の高精細画像データを生成、出力する手段と、上記画像受信部からの高精細画像伝送要求信号により当該２つのデータ出力を所定の比率で切り替え上記伝送路へ出力する手段を有する構成としたものである。
また、上記画像受信部に、上記画像送信部へ高精細画像伝送要求信号を出力する手段と、当該高精細画像伝送要求信号に基づき上記画像送信部から伝送される上記２つのデータ出力を受信し、上記圧縮動画像データと上記所定の高精細画像データを切り替え出力する手段を有する構成としたものである。
また、上記画像送信部を、入力映像信号をバッファして出力するビデオ入力メモリ部と、上記高精細画像をバッファするための高精細画像メモリ部と、上記ビデオ入力メモリ部から所定の画像データを上記高精細画像メモリ部へ転送するビデオデータ転送部と、上記高精細画像伝送要求信号に基づき圧縮率を変えて上記ビデオ入力メモリ部からの出力を符号化する圧縮動画像符号化部と、該圧縮動画像符号化部の出力と上記高精細画像メモリ部の出力を所定の比率で切り替える出力制御部と、当該切り替えられたデータと上記出力制御部のデータを入力し、上記伝送路へ出力する伝送インターフェース部を有する構成としたものである。
【００１１】
即ち、本発明は、遠隔画像監視システムにおいて、高精細画像の伝送に対しては瞬時性を必要としないことと、圧縮動画像データはデータレートが１０％程度減少しても、画質が極端に劣化することが無いことに着目し、高精細画像データと圧縮動画像データを同時に伝送することを可能としたものである。
具体的には、高精細画像伝送要求がされた場合、伝送路の伝送容量の所定割合のレートで圧縮動画像データを伝送し、残りの割合のレートで高精細画像データを伝送するようにしたものである。
これにより、高精細画像データの伝送時間を、従来より長い時間必要となるが、圧縮動画像データの伝送を中断することなく、続けることが可能となる。これにより、画像受信部では、監視対象に特別な変化が発生した部分においても、必要な高精細画像と連続した圧縮動画像データの表示及び記録のできる遠隔画像監視システムを実現できる。
【００１２】
【発明の実施の形態】
以下、本発明による遠隔画像監視システムの一実施例の構成を図１に示し、詳細に説明する。
画像送信部Ｔｘではカメラ２−１の映像信号２−２がビデオ入力メモリ部２−４へ入力され、ビデオ入力メモリ部２−４のデータ２−５が圧縮動画像符号化部１−７０に入力される。ビデオ入力メモリ部２−４のデータ２−２は、ビデオデータ転送部１−１に入力され、ビデオデータ転送部１−１のデータ１−３は、高精細画像メモリ部１−４へ入力される。圧縮動画像符号化部１−７０のデータ１−７と高精細画像メモリ部１−４のデータ１−５は、切り替え部１−６０に入力される。切り替え部１−６０のデータ１−３１は伝送インターフェース部１−１２に入力される。また、出力制御部１−８のデータ１−９は、切り替え部１−６０へも入力される。伝送インターフェース部１−１２のデータ１−６は、出力制御部１−８、圧縮動画像符号化部１−７０，ビデオデータ転送部１−１に入力される。伝送インターフェース部１−１２では、伝送路の信号１−１０を出力し、伝送路の信号１−１１を入力する。
【００１３】
画像受信部Ｒｘでは、伝送インターフェース部１−１３へ伝送路の信号１−１０が入力され、信号１−１１が出力される。伝送インターフェース部１−１３のデータ１−１５は切り替え部１−６１に入力される。切り替え部１−６１のデータ１−１６は動画像圧縮復号化部２−１７、記録部１−１８に入力される。切り替え部１−６１のデータ１−１７は切り替え部１−６２、記録部１−１８に入力される。動画像圧縮復号化部２−１７のデータ１−２５は切り替え部１−６２に入力される。
切り替え部１−６２のデータ１−２３は、ビデオ表示メモリ部２−１９へ入力される。また、切り替え部１−６２へは表示切替え信号１−５０も入力される。ビデオ表示メモリ部２−１９の信号１−２２は、映像モニタ２−２１に入力される。高精細画像伝送開始指示器１−１９の高精細画像伝送開始指示を表すデータ１−２０は、伝送インターフェース部１−１３へ入力される。
【００１４】
以下、図１の動作について説明する。高精細画像を伝送しない期間の動作は、図２で説明した従来の技術と同様である。カメラ２−１、ビデオ入力メモリ部２−４、圧縮動画像符号化部１−７０により出力される、圧縮動画像データであるデータ１−７は、切り替え部１−６０でデータ１−３１として出力され、伝送インターフェース部１−１２に入力される。
そして、伝送路の信号１−１０により画像受信部Ｒｘの伝送インターフェース部１−１３に入力される。伝送インターフェース部１−１３からは、圧縮動画像データであるデータ１−１５が切り替え部１−６１でデータ１−１６として出力されて、動画像圧縮復号化部２−１７に入力される。動画像圧縮復号化部２−１７のデータ１−２５が、切り替え部１−６２でデータ１−２３として出力され、ビデオ表示メモリ部２−１９に入力されて映像モニタ２−２１に圧縮動画像データの画像が表示される。
ここで、映像モニタ２−２１を監視している監視員が、高精細画像伝送開始指示器１−１９で、高精細画像伝送を要求した場合の動作について説明する。高精細画像伝送開始指示器１−１９からのデータ１−２０は、伝送インターフェース部１−１３に入力され、伝送路の信号１−１１で、画像送信部Ｔｘの伝送インターフェース部１−１２に入力される。
【００１５】
伝送インターフェース部１−１２から、データ１−６として出力され、ビデオデータ転送部１−１へ、高精細画像伝送の要求を通知する。ここでビデオデータ転送部１−１は、伝送している圧縮動画像の対象となっているビデオ入力メモリ部２−４内部の１フレームのデータを、高精細画像メモリ部１−４へデータ１−３として転送する。
高精細画像メモリ部１−４にバッファされた高精細画像データは、所定の伝送レートでデータ１−５として出力する。この所定の伝送レートの例として、ここでは伝送路信号１−１０の伝送容量の１０％とする。
切り替え部１−６０は、このデータ１−５の伝送レートに応じた切り替えで、データ１−３１として、伝送インターフェース部１−１２に入力する。これにより、伝送路の信号１−１０の伝送路容量の１０％が、高精細画像データに占有されることになる。
【００１６】
一方、圧縮動画像符号化部１−７０にも、データ１−６が入力され、高精細画像データの伝送要求が通知される。これにより、圧縮動画像符号化部１−７０は、伝送路容量の１００％から９０％に相当する伝送レートになるように、圧縮動画像符号化データであるデータ１−７の生成を制御する。同様に切り替え部１−６０で、データ１−７の伝送レートに応じた切り替えをし、データ１−３１とし、伝送インターフェース部１−１２に入力する。これにより、伝送路の信号１−１０には、その伝送容量に対し、１０％の高精細画像データと９０％の圧縮動画像データが伝送されることになる。
ここで、インターネット等の伝送路の場合は、信号１−１０にはパケット単位の時分割多重がされることになる。一例としては、１０パケットの内、１パケットの高精細画像データと９パケットの圧縮動画像データとなる構成で伝送される。また、伝送路がこのようなパケット単位の時分割多重の場合は、切り替え部１−６０の切り替えで多重を実現するのが自然である。つまり、データ１−３１が、伝送路のパケット単位の時分割多重データとなる。そして、これを制御するのが、出力制御部１−８になる。
【００１７】
次に、画像受信部Ｒｘでの動作について説明する。伝送インターフェース部１−１３から出力されるデータ１−１５は、高精細画像データと圧縮動画像データが多重されたデータとなる。これをパケット単位に切り替え部１−６１で切り替えをすることで、高精細画像データはデータ１−１７として出力され、圧縮動画像データはデータ１−１６として出力されるようになる。
このとき、切り替え部１−６１は、データ１−１５のパケットのヘッダ情報などで、データが高精細画像データか、圧縮動画像データかを判断し切り替える。高精細画像データであるデータ１−１７は、記録部１−１８に入力され記録されるとともに、切り替え部１−６２に入力される。
本発明では、高精細画像を伝送中も、中断することなく圧縮動画像データの伝送が可能なため、通常は切り替え部１−６２は、データ１−２５とデータ１−２３が接続されるように切り替えており、映像モニタ２−２１には圧縮動画像データの画像が表示されている。ここで、映像モニタ２−２１を監視している監視員が、意識的に高精細画像伝送データの表示をしたい場合も、表示切替え信号１−５０により、切り替え部１−６２において、データ１−１７とデータ１−２３が接続されるように制御することで、容易に実現できる。
なお、画像送信部Ｔｘの圧縮動画像符号化部１−７０、出力制御部１−８は、転送された高精細画像メモリ部１−４内の対象高精細画像データの伝送が終了すると、自動的に通常の圧縮動画像データ伝送状態に制御が戻るものとする。
【００１８】
図４に、本発明における伝送路の信号１−１０の状態を示す。このように高精細画像データ伝送中は、圧縮動画像データの伝送レートが、例えば９０％に下がり、空いた１０％の部分で高精細画像データが伝送される。
また、図４に、１フレームの高精細画像データを伝送するのに要する時間を、図３と同様にＭＰＥＧ−２，ＭＰＥＧ−４の場合において示した。
ＭＰＥＧ−２：伝送容量４Ｍｂｐｓ：高精細画像データ伝送時間１４秒
ＭＰＥＧ−４：伝送容量３８４ｋｂｐｓ：高精細画像データ伝送時間４２秒
この時間は、従来の技術より長いが、基本的に高精細画像は、記録部に記録しておいて、後で画像処理などをして時間をかけて使用するためであることから、実害は全く無い。（例えば犯人画像の顔部分の拡大処理による特徴調査など）。
さらに、前述の例では高精細画像データの伝送レートと圧縮動画像の伝送レートの比率を１０：９０としたが、この比率は任意に変更して問題ない。例えば、２０：８０にすれば、圧縮動画像の劣化が多少増加するが、高精細画像データの伝送時間が１／２に短縮できる。
また、図１の説明では、高精細画像データを非圧縮画像データとして説明したが、圧縮劣化の発生しないロスレス符号化方式で符号化したデータでも、本発明としては可能である。さらに、高精細画像の利用目的によっては、少ないレベルの劣化が許容できる場合も考えられるが、この場合は、静止画符号化方式であるＪＰＥＧにより低圧縮率で符号化したデータとしても、本発明を適用できる。
【００１９】
【発明の効果】
本発明では、高精細画像伝送要求がされた場合、伝送路の伝送容量の内、任意の割合のレートで高精細画像データを伝送し、残りの割合の伝送容量で圧縮動画像データを伝送するように制御することで、高精細画像データ伝送中にも、画像受信部では全く支障無く圧縮動画像の記録／表示が可能となる。これによって、遠隔画像監視システムにおいて、特別な状況変化に対する高精細画像と関連のある重要な動画像部分も表示／記録をしたいという、多くのニーズに対し、十分に対応することが出来る。
【図面の簡単な説明】
【図１】本発明による遠隔画像監視システムの一実施例の構成を示すブロック図
【図２】従来技術による遠隔画像監視システムの一例の構成を示すブロック図
【図３】従来技術の伝送路上の信号２−１１の状態を示す模式図
【図４】本発明の伝送路上の信号１−１１の状態を示す模式図
【符号の説明】
１−１：ビデオデータ転送郁、１−４：高精細画像メモリ部、１−７０：圧縮動画像符号化部。
【図１】
0003883438.tif 000002
【図２】
0003883438.tif 000003
【図３】
0003883438.tif 000004
【図４】
0003883438.tif 000005